(57)【特許請求の範囲】
【請求項１】
モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ制御回路用電源供給リレー及び直流ファンモータ駆動用直流電源供給リレーをＯＮした後は、前記電流ファンモータ制御回路用電源供給リレー又は直流ファンモータ駆動用直流電源供給リレーを連続的にＯＮ／ＯＦＦさせることにより、前記各リレーの動作音が耳障りにならないように一度前記直流ファンモータ制御回路用電源供給リレー又は直流ファンモータ駆動用直流電源供給リレーをＯＮした後は、前記リレーを一定時間ＯＦＦさせないことを特徴とする直流ファンモータの制御装置。
【請求項２】
モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ制御用電源供給リレーをＯＮした後、前記リレーの感動時間・バウンス時間を考慮し、前記直流ファンモータ駆動用直流電源供給リレーを一定時間ＯＮしないことを特徴とする直流ファンモータの制御装置。
【請求項３】
モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ駆動用電源供給リレーをＯＦＦした後、前記直流ファンモータ駆動用電源供給リレーの復帰時間を考慮し、前記直流ファンモータ制御回路用電源供給リレーを一定時間ＯＦＦしないことを特徴とする直流ファンモータの制御装置。
【請求項４】
モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータの回転数指令がゼロ回転である停止状態となった後も、前記直流ファンモータが慣性で回転することにより発生する逆起電流を逃がすために、前記直流ファンモータ駆動用電源供給リレーは一定時間ＯＦＦさせないことを特徴とする直流ファンモータの制御装置。
【請求項５】
モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、交流商用電源の周波数を検出し、この検出信号をマイコンに入力し、かつこの検出信号が前記マイコンに入力されなくなると、前記マイコンからの回転数指令をゼロ回転とする交流商用電源周波数検出回路を、交流商用電源と直流ファンモータの回転数指令を出力するマイコンとの間に設けたことを特徴とする直流ファンモータの制御装置。
【請求項６】
前記直流ファンモータ駆動用直流電源供給を遮断する直流ファンモータ駆動用直流電源供給手段を設けたことを特徴とする請求項５記載の直流ファンモータの制御装置。
【請求項７】
モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、交流商用電源が停止したときに前記直流ファンモータ制御電源供給を遮断する直流ファンモータ制御用電源供給手段が前記直流ファンモータ駆動用直流電源供給を遮断する直流ファンモータ駆動用直流電源供給手段よりも先に遮断されることのないようにしたことを特徴とする直流ファンモータの制御装置。
【発明の詳細な説明】
【０００１】
【産業上の利用分野】
この発明は空気調和機に係り、特に直流ファンモータの制御装置に関するものである。
【０００２】
【従来の技術】
図１２は従来の空気調和機に係る直流ファンモータの制御装置のブロック図である。図において、１は制御用電源回路で、１００Ｖ又は２００Ｖの交流電源である交流商用電源１ａ、ブリッジダイオードである第１整流回路１ｂ、この整流回路で整流され電解コンデンサである第１平滑回路１ｃと、ＤＣ−ＤＣコンバータ２とから成っている。このＤＣ−ＤＣコンバータは、入力を前記第１平滑回路１ｃから受け、一方の出力をダイオードである第２整流回路２ｂを介して電解コンデンサである第２平滑回路２ｃに接続されており、直流１２Ｖ程度の電圧に安定化されベーンモータ３や表示装置４などの各種アクチュエータ動作用電源として供給される。他方の出力は、ダイオードである第３整流回路２ｄを介して電解コンデンサである第３平滑回路２ｅに接続されている。
【０００３】
５は直流ファンモータ制御回路で、モータ巻線６と、このモータ巻線に流す電流を直流ファンモータ駆動用直流電源供給リレー７ｂと抵抗入りＮＰＮトランジスタで構成されるドライバＩＣであるリレー駆動回路７ａから成る駆動用直流電源供給手段７を介したスイッチング回路８と、このスイッチング回路を制御する制御回路９及び、直流ファンモータの回転数を検出するホールＩＣ１０より構成されている。この直流ファンモータ制御回路５には、前記第１平滑回路１ｃから直流ファンモータ駆動用１４０Ｖ又は２８０Ｖの直流電圧を入力とし、さらに、前記ＤＣ−ＤＣコンバータ２出力をダイオードである第３整流回路２ｄを介して電解コンデンサである第３平滑回路２ｅと接続され、その第３平滑回路２ｅの出力は１５Ｖの３端子レギュレータである第１定電圧回路１１の入力端子へ接続され、その出力は電解コンデンサである第４平滑回路１２を介して前記制御回路９への入力として、安定した直流１５Ｖ電圧が供給される。
【０００４】
１３はマイコンで、安定した直流５Ｖ電圧となりマイコン１３に動作用電源として供給されるよう前記第２平滑回路２ｃの出力を５Ｖの３端子レギュレータである第２定電圧回路１４を介して電解コンデンサである第５平滑回路１５へ接続して入力としており、出力は、前記モータの駆動用直流電源供給手段７に接続され、もう一方の出力は、前記直流ファンモータ制御回路５の制御回路９に接続している。また、前記直流ファンモータ制御回路５のモータ巻線６の回転数は、ホールＩＣ１０により検出されており、その信号はマイコン１３の入力ポートに入力され、マイコン１３により回転数指令と実回転数を比較することにより任意の回転数となるように制御される。また、ユーザからの運転指令は、リモコン（図示されていない）により送信され、リモコン受光器１６により受信し、マイコン１３入力される。
【０００５】
次に動作について説明する。例えば、ユーザからリモコンにより運転指令が送信されると、リモコン受光器１６で受信しマイコン１３の入力ポートにその信号が入力される。前記のようにマイコン１３に何らかの直流ファンモータ制御回路５を動作させる信号が入力されると、マイコン１３の出力ポートから直流ファンモータ駆動用直流電源供給手段７のリレー駆動回路７ａをＯＮするためにＨレベルが出力され、ドライバＩＣはＯＮしリレー駆動回路７ａの出力端子はＬレベルとなり、直流ファンモータ駆動用直流電源供給用リレー７ｂのコイルには第２平滑回路２ｃから供給されている直流１２Ｖ電圧により電流が流れ、直流ファンモータ駆動用直流電源供給用リレー７ｂの接点がＯＮし、第１平滑回路１ｃとスイッチング回路８が導通し、その出力電圧である直流１４０Ｖ又は２８０Ｖがスイッチング回路８でスイッチングされ、モータ巻線６へ駆動用電源として供給される。次にマイコン１３の出力ポートから直流ファンモータ制御回路５の回転数指令として信号が制御回路９へ出力され、その信号に応じて制御回路９によりスイッチング回路８が動作し、スイッチングされた電流がモータ巻き線６に流れモータが回転することになる。
【０００６】
また、その回転数に応じてホールＩＣ１０から回転数信号が出力されマイコン１３の入力ポートへ入力され、希望の回転数になるように制御される。直流ファンモータ制御回路５の停止時は、マイコン１３の出力ポートからリレー駆動回路７ａへＯＦＦの信号であるＬレベルが出力されておりドライバＩＣはＯＦＦしリレー駆動回路７ａの出力はオープンコレクタのためＨレベルとなる。したがって、直流ファンモータ駆動用直流電源供給用リレー７ｂのコイルには電流が流れておらず、直流ファンモータ駆動用直流電源供給用リレー７ｂの接点側は切れており、その先に接続されているスイッチング回路８へは電源が供給されておらず、スイッチング回路８で消費される電力を削減することができる。
【０００７】
【発明が解決しようとする課題】
従来の直流ファンモータの制御装置は以上のように構成されているため、直流ファンモータ停止時に前記直流ファンモータ制御回路や制御回路用電源の定電圧回路などでの電力消費が多く発生する課題があった。
【０００８】
この発明は、上記のような課題を解消するためになされたもので、直流ファンモータの停止時に省電力化が可能な直流ファンモータ制御装置を得ることを目的とする。
【０００９】
【課題を解決するための手段】
この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ制御回路用電源供給リレー及び直流ファンモータ駆動用直流電源供給リレーをＯＮした後は、前記電流ファンモータ制御回路用電源供給リレー又は直流ファンモータ駆動用直流電源供給リレーを連続的にＯＮ／ＯＦＦさせることにより、前記各リレーの動作音が耳障りにならないように一度前記直流ファンモータ制御回路用電源供給リレー又は直流ファンモータ駆動用直流電源供給リレーをＯＮした後は、前記リレーを一定時間ＯＦＦさせないものである。
【００１３】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ制御用電源供給リレーをＯＮした後、前記リレーの感動時間・バウンス時間を考慮し、前記直流ファンモータ駆動用直流電源供給リレーを一定時間ＯＮしないものである。
【００１４】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ駆動用電源供給リレーをＯＦＦした後、前記直流ファンモータ駆動用電源供給リレーの復帰時間を考慮し、前記直流ファンモータ制御回路用電源供給リレーを一定時間ＯＦＦしないものである。
【００１５】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータの回転数指令がゼロ回転である停止状態となった後も、前記直流ファンモータが慣性で回転することにより発生する逆起電流を逃がすために、前記直流ファンモータ駆動用電源供給リレーは一定時間ＯＦＦさせないものである。
【００１６】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、交流商用電源の周波数を検出し、この検出信号をマイコンに入力し、かつこの検出信号が前記マイコンに入力されなくなると、前記マイコンからの回転数指令をゼロ回転とする交流商用電源周波数検出回路を、交流商用電源と直流ファンモータの回転数指令を出力するマイコンとの間に設けたものである。
【００１７】
また、この発明による直流ファンモータの制御装置は、直流ファンモータ駆動用直流電源供給を遮断する直流ファンモータ駆動用直流電源供給手段を設けたものである。
【００１８】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、交流商用電源が停止したときに前記直流ファンモータ制御電源供給を遮断する直流ファンモータ制御用電源供給手段が前記直流ファンモータ駆動用直流電源供給を遮断する直流ファンモータ駆動用直流電源供給手段よりも先に遮断されることのないようにしたものである。
【００１９】
【発明の実施の形態】
実施の形態１．
以下、この発明の実施の形態１による直流モータの制御装置を図について説明する。図１は直流ファンモータに関わる制御ブロック図である。図において、１は制御用電源回路で、１００Ｖ又は２００Ｖの交流電源である交流商用電源１ａ、ブリッジダイオードである第１整流回路１ｂ、この整流回路で整流され電解コンデンサである第１平滑回路１ｃと、ＤＣ−ＤＣコンバータ２とから成っている。このＤＣ−ＤＣコンバータは、入力を前記第１平滑回路１ｃから受け、一方の出力をダイオードである第２整流回路２ｂを介して電解コンデンサである第２平滑回路２ｃに接続されており、直流１２Ｖ程度の電圧に安定化されベーンモータ３や表示装置４などの各種アクチュエータ動作用電源として供給される。他方の出力は、ダイオードである第３整流回路２ｄを介して電解コンデンサである第３平滑回路２ｅに接続されている。
【００２０】
５は直流ファンモータ制御回路で、前記第１平滑回路１ｃから直流ファンモータ駆動用１４０Ｖ又は２８０Ｖの直流電圧を入力としている。６はモータ巻線、８は前記モータ巻線６に流す電流をスイッチングするスイッチング回路、９はこのスイッチング回路を制御する制御回路である。１０は前記直流ファンモータ制御回路５により制御される直流ファンモータの回転数を検出するホールＩＣ、１１は第１定電圧回路、１２は電解コンデンサである第４平滑回路、１３はマイコンで、安定した直流５Ｖ電圧となりマイコン１３に動作用電源として供給されるよう前記第２平滑回路２ｃの出力を５Ｖの３端子レギュレータである第２定電圧回路１４を介して電解コンデンサである第５平滑回路１５へ接続して入力としている。１６はリモコン受光器で、ユーザからの運転指令をリモコン（図示されていない）からの送信信号として受信し、マイコン１３に出力している。
【００２１】
１７は制御回路用直流電源供給手段で、抵抗入りＮＰＮトランジスタで構成されるドライバＩＣであるリレー駆動回路１７ａと直流ファンモータ制御回路用電源供給リレー１７ｂとから成っており、前記ＤＣ−ＤＣコンバータ２出力をダイオードである第３整流回路２ｄを介して電解コンデンサである第３平滑回路２ｅと接続され、１５Ｖの３端子レギュレータである第１定電圧回路１１の入力端子へ接続され、その出力は電解コンデンサである第４平滑回路１２を介して前記制御回路９への入力として、安定した直流１５Ｖ電圧が供給される。
【００２２】
次に動作について説明する。例えば、ユーザからリモコンにより運転指令が送信されると、リモコン受光器１６で受信しマイコン１３の入力ポートにその信号が入力される。前記のようにマイコン１３に何らかの直流ファンモータ制御回路５を動作させる信号が入力されると、マイコン１３の出力ポートから制御回路用直流電源供給手段１７のリレー駆動回路１７ａをＯＮするためにＨレベルが出力され、ドライバＩＣはＯＮしリレー駆動回路１７ａの出力端子はＬレベルとなり、直流ファンモータ制御回路用電源供給用リレー１７ｂのコイルには第２平滑回路２ｃから供給されている直流１２Ｖ電圧により電流が流れ、直流ファンモータ制御回路用電源供給用リレー１７ｂの接点がＯＮし、第３平滑回路２ｅと第１定電圧回路１１が導通しその出力電圧である直流１５Ｖが第４平滑回路１２を介して制御回路９へ電源として供給される。これによりスイッチング回路８が制御可能な状況になる。
【００２３】
次にマイコン１３の出力ポートから直流ファンモータ制御回路５の回転数指令として信号が制御回路９へ出力され、その信号に応じて制御回路９によりスイッチング回路８が動作し、スイッチングされた電流がモータ巻き線６に流れモータが回転することになる。また、その回転数に応じてホールＩＣ１０から回転数信号が出力されマイコン１３の入力ポートへ入力され、希望の回転数になるように制御される。
【００２４】
直流ファンモータ制御回路５の停止時は、マイコン１３の出力ポートから制御回路用直流電源供給手段１７のリレー駆動回路１７ａへＯＦＦの信号であるＬレベルが出力されておりドライバＩＣはＯＦＦしリレー駆動回路１７ａの出力はオープンコレクタのためＨレベルとなる。したがって、直流ファンモータ制御回路用電源供給用リレー１７ｂのコイルには電流が流れておらず、直流ファンモータ制御回路用電源供給用リレー１７ｂの接点側は切れており、その先に接続されている制御回路９や第１電圧回路１１等へは電源が供給されておらず、制御回路９や第１定電圧回路１１等で消費される電力を削減することができる。
【００２５】
また、この実施の形態１では機械的な制御回路を用いているが、半導体リレーなどその他の制御方法でも同様の効果が得られる。
【００２６】
また、実施の形態１における直流ファンモータの制御装置は、直流ファンモータ停止時に制御回路用直流電源供給手段１７によって第３平滑回路２ｅからの制御回路用電源１の電源を切ることにより、制御回路９と第１定電圧回路１１における電力消費を防止することができる。
【００２７】
実施の形態２．
以下、この発明の実施の形態２を図について説明する。図２は直流ファンモータ制御装置に関わる制御ブロック図である。図において、１は制御用電源回路で、１００Ｖ又は２００Ｖの交流電源である交流商用電源１ａ、ブリッジダイオードである第１整流回路１ｂ、この整流回路で整流され電解コンデンサである第１平滑回路１ｃと、ＤＣ−ＤＣコンバータ２とから成っている。このＤＣ−ＤＣコンバータは、入力を前記第１平滑回路１ｃから受け、一方の出力をダイオードである第２整流回路２ｂを介して電解コンデンサである第２平滑回路２ｃに接続されており、直流１２Ｖ程度の電圧に安定化されベーンモータ３や表示装置４などの各種アクチュエータ動作用電源として供給される。他方の出力は、ダイオードである第３整流回路２ｄを介して電解コンデンサである第３平滑回路２ｅに接続されている。
【００２８】
５は直流ファンモータ制御回路で、モータ巻線６と、このモータ巻線に流す電流を直流ファンモータ駆動用直流電源供給リレー７ｂと抵抗入りＮＰＮトランジスタで構成されるドライバＩＣであるリレー駆動回路７ａから成る駆動用直流電源供給手段７を介してスイッチングするスイッチング回路８と、このスイッチング回路を制御する制御回路９及び、直流ファンモータの回転数を検出するホールＩＣ１０より構成されている。前記直流ファンモータ制御回路５には、前記第１平滑回路１ｃから直流ファンモータ駆動用１４０Ｖ又は２８０Ｖの直流電圧を入力とし、さらに、前記ＤＣ−ＤＣコンバータ２出力を第２整流回路２ｂを介して第２平滑回路２ｃと接続されている。１１は１５Ｖの３端子レギュレータである第１定電圧回路、１２は電解コンデンサである第４平滑回路である。
【００２９】
１３はマイコンで、安定した直流５Ｖ電圧となりマイコン１３に動作用電源として供給されるよう前記第２平滑回路２ｃの出力を５Ｖの３端子レギュレータである第２定電圧回路１４を介して電解コンデンサである第５平滑回路１５へ接続して入力としており、出力は、前記モータの駆動用直流電源供給手段７に接続され、もう一方の出力は、前記直流ファンモータ制御回路５の制御回路９に接続している。また、前記直流ファンモータ制御回路５により制御される直流ファンモータの回転数は、ホールＩＣ１０により検出されており、その信号はマイコン１３の入力ポートに入力され、マイコン１３により回転数指令と実回転数を比較することにより任意の回転数となるように制御される。また、ユーザからの運転指令は、リモコン（図示されていない）により送信され、リモコン受光器１６により受信し、マイコン１３入力される。
【００３０】
１７は直流ファンモータ制御回路用直流電源供給手段で、直流ファンモータ制御回路用直流電源供給リレー１７ｂと抵抗入りＮＰＮトランジスタで構成されるドライバＩＣであるリレー駆動回路１７ａから成り、前記直流ファンモータ制御回路５と、前記制御用電源回路１との間に配置され、前記制御用電源回路１の前記ＤＣ−ＤＣコンバータ２出力をダイオードである第２整流回路２ｂおよび第３整流回路２ｄを介して電解コンデンサである第２平滑回路２ｃおよび第３平滑回路２ｅと接続され、その第２平滑回路２ｃおよび第３平滑回路２ｅの出力は制御回路用直流電源供給手段１７の直流ファンモータ制御回路用電源供給用リレー１７ｂの入力端子へ接続されている。
さらにもう一方の入力は、前記マイコン１３から前記制御回路用直流電源供給手段１７のリレー駆動回路１７ａに接続されている。
【００３１】
次に動作について説明する。例えば、ユーザからリモコンにより運転指令が送信されると、リモコン受光器１６で受信しマイコン１３の入力ポートにその信号が入力される。前記のようにマイコン１３に何らかの直流ファンモータ制御回路５を動作させる信号が入力されると、マイコン１３の出力ポートからリレー駆動回路１７ａをＯＮするためにＨレベルが出力され、ドライバＩＣはＯＮしリレー駆動回路１７ａの出力端子はＬレベルとなり、直流ファンモータ駆動制御回路電源供給リレー１７ｂのコイルには第２平滑回路２ｃから供給されている直流１２Ｖ電圧により電流が流れ、直流ファンモータ制御回路用電源供給リレー１７ｂの接点がＯＮし、第３平滑回路２ｅと第１定電圧回路１１が導通しその出力電圧である直流１５Ｖが第４平滑回路１２を介して制御回路９へ電源として供給される。これによりスイッチング回路８が制御可能な状況になる。
【００３２】
次にマイコン１３の出力ポートからリレー駆動回路７ａをＯＮするためにＨレベルが出力され、ドライバＩＣはＯＮし駆動回路７ａの出力端子はＬレベルとなり、直流ファンモータ駆動用直流電源供給リレー７ｂのコイルには第２平滑回路２ｃから供給されている直流１２Ｖ電圧により電流が流れ、直流ファンモータ駆動用直流電源供給リレー７ｂの接点がＯＮし、第１平滑回路１ｃとスイッチング回路８が導通し、その出力電圧である直流１４０Ｖ又は２８０Ｖがスイッチング回路８でスイッチングされ、モータ巻線６へ駆動用電源として供給される。
【００３３】
次にマイコン１３の出力ポートから直流ファンモータ制御回路５の回転数指令として信号が制御回路９へ出力され、その信号に応じて制御回路９によりスイッチング回路８が動作し、スイッチングされた電流がモータ巻き線６に流れモータが回転することになる。また、その回転数に応じてホールＩＣ１０から回転数信号が出力されマイコン１３の入力ポートへ入力され、希望の回転数になるように制御される。
【００３４】
直流ファンモータ制御回路５の停止時は、マイコン１３の出力ポートからリレー駆動回路１７ａへＯＦＦの信号であるＬレベルが出力されておりドライバＩＣはＯＦＦしリレー駆動回路１７ａの出力はオープンコレクタのためＨレベルとなる。したがって、直流ファンモータ制御回路用電源供給リレー１７ｂのコイルには電流が流れておらず、直流ファンモータ制御回路用電源供給リレー１７ｂの接点側は切れており、その先に接続されている制御回路９や第１定電圧回路１１等へは電源が供給されておらず、制御回路９や第１定電圧回路１１等で消費される電力を削減することができる。
【００３５】
また、マイコン１３の出力ポートからリレー駆動回路７ａへＯＦＦの信号であるＬレベルが出力されておりドライバＩＣはＯＦＦしリレー駆動回路７ａの出力はオープンコレクタのためＨレベルとなっている。したがって、リレー駆動回路７ａのコイルには電流が流れておらず、リレー駆動回路７ａの接点側は切れており、その先に接続されているスイッチング回路８へは電源が供給されておらず、スイッチング回路８で消費される電力を削減することができる。
【００３６】
また、実施の形態２における直流モータの制御装置は、直流モータ停止時に直流モータ制御回路用電源供給手段と直流モータ駆動用直流電源供給手段により直流モータ制御回路への電源供給を断つことにより、直流モータ制御回路と制御回路用電源の定電圧回路と直流モータのスイッチング回路における電力消費を防止することができる。
【００３７】
実施の形態３．
以下、この発明の実施の形態３を図について説明する。制御ブロック図は前記図２と全て同一のため、説明は省略する。
【００３８】
次に動作について説明する。図３は実施の形態３による直流ファンモータの制御装置の動作を示すタイムチャートである。まず、ユーザからの運転指令等によりファンモータの動作指令Ａが運転状態となりマイコン１３に入力される。その後に直流ファンモータ制御回路用電源供給リレー１７ｂをＯＮするための制御回路用電源供給リレー駆動信号ＢがＨレベルとなりリレー駆動回路１７ａへマイコン１３から出力される。これにより、リレー駆動回路１７ａの出力端子はＬレベルとなり、直流ファンモータ制御回路用電源供給リレー１７ｂのコイルには第２平滑回路２ｄから供給されている直流１２Ｖ電圧により電流が流れ、直流ファンモータ制御回路用電源供給リレー１７ｂの接点がＯＮし、第３平滑回路２ｅと第１定電圧回路１１が導通しその出力電圧である直流１５Ｖが第４平滑回路１２を介して制御回路９へ電源として供給される。これによりスイッチング回路８が制御可能な状況になる。
【００３９】
次に直流ファンモータ駆動用直流電源供給リレー７ｂをＯＮするための駆動用直流電源供給リレー駆動信号ＣがＨレベルとなりリレー駆動回路７ａへマイコン１３から出力される。これにより、リレー駆動回路７ａの出力端子はＬレベルとなり、直流ファンモータ駆動用直流電源供給リレー７ｂのコイルには第２平滑回路２ｃから供給されている直流１２Ｖ電圧により電流が流れ、直流ファンモータ駆動用直流電源供給リレー７ｂの接点がＯＮし、第１平滑回路１ｃとスイッチング回路８が導通しその出力電圧である直流１４０Ｖ又は２８０Ｖがスイッチング回路８でスイッチングされ、モータ巻線６へ駆動用電源として供給される。
【００４０】
次にマイコン１３出力ポートから直流ファンモータ制御回路５の回転数指令として回転数信号Ｄが制御回路９へ出力され、その信号に応じて制御回路９によりスイッチング回路８が動作し、スイッチングされた電流がモータ巻線６に流れモータが回転することになる。また、その回転数に応じてホールＩＣ１０から回転数信号が出力されマイコン１３入力ポートへ入力され、希望の回転数になるように制御される。
【００４１】
逆にユーザから運転停止指令等により、ファンモータ動作指令Ａが停止状態となり、マイコン１３に入力されると、次にマイコン１３の出力ポートから出力されていた回転数信号はゼロ回転である停止状態となり、直流ファンモータの回転数もゼロ回転である停止状態となる。次に直流ファンモータ駆動用直流電源供給リレー７ｂをＯＦＦするために駆動用直流電源供給リレー駆動信号ＣがＬレベルとなりリレー駆動回路７ａへマイコン１３から出力される。これにより、リレー駆動回路７ａの出力端子はオープンコレクタのためＨレベルとなり、直流ファンモータ駆動用直流電源供給リレー７ｂのコイルには電流が流れなくなり、直流ファンモータ駆動用直流電源供給リレー７ｂの接点がＯＦＦし、第１平滑回路１ｃとスイッチング回路８は遮断し、モータ巻線６への駆動用電源の供給は停止する。
【００４２】
次に直流ファンモータ制御回路用直流電源供給リレー７ｂをＯＦＦするために制御回路用電源供給リレーの駆動信号ＢがＬレベルとなりリレー駆動回路１７ａへマイコン１３から出力される。これにより、制御回路用直流電源供給手段１７のリレー駆動回路１７ａの出力端子はオープンコレクタのためＨレベルとなり、直流ファンモータ制御回路用直流電源供給リレー１７ｂのコイルには電流が流れなくなり、直流ファンモータ制御回路用電源供給リレー１７ｂの接点がＯＦＦし、第３平滑回路２ｅと第１定電圧回路１１が遮断され制御回路９への電源供給が停止する。
【００４３】
この発明の実施の形態３における直流ファンモータの制御装置は、直流ファンモータ制御回路用電源を供給していないときは、直流ファンモータ駆動用直流電源供給を切るため、前記制御回路が動作しないことにより直流モータのスイッチング回路が未制御の時に、スイッチング回路に直流ファンモータ駆動用電圧が加わることがなくなり、直流ファンモータやスイッチング回路の異常動作や故障を防止することができる。
【００４４】
実施の形態４．
以下、この発明の実施の形態４を図について説明する。制御ブロック図は前記図２と全て同一のため説明は省略する。
【００４５】
次にこの発明の実施の形態４における動作について説明する。通常の直流ファンモータ回転開始時と、回転停止時の動作は前記実施の形態３と同一のため省略する。
【００４６】
図４は実施の形態４における直流モータの制御装置の動作を示すタイムチャートである。ユーザからの運転指令等によりファンモータの動作指令Ａが運転状態となりマイコン１３に入力されると、マイコン１３から出力される直流ファンモータ制御回路用電源供給リレー１７ｂをＯＮ／ＯＦＦするための制御回路用電源供給リレー駆動信号ＢがＨレベルとなるが、前回直流ファンモータ制御回路用電源供給リレー１７ｂがＯＦＦしたときから直流ファンモータ制御回路用電源供給リレー１７ｂのホットスタート時間を考慮した一定時間Ｔａが経過していなければ、制御回路用電源供給リレー１７駆動信号Ｂは、その一定時間Ｔａが経過するまではＨレベルとしない。また、同様に直流ファンモータ駆動用直流電源供給リレー７ｂについてもホットスタート時間を考慮した一定時間Ｔｂが経過するまでは、駆動用直流電源供給リレー７ａ駆動信号ＣをＨレベルとしない。その後の動作は、通常の動作と同様である。
【００４７】
この発明の実施の形態４における直流ファンモータの制御装置は、直流ファンモータ制御回路用電源供給用リレー及び直流ファンモータ駆動用直流電源供給用リレーをＯＦＦ後一定時間ＯＮさせないことにより、リレーのホットスタート時の温度を低下させることができ、確実なリレー動作ができるようになる。
【００４８】
実施の形態５．
以下、この発明の実施の形態５を図について説明する。制御ブロック図は前記図２と全て同一のため、説明は省略する。
【００４９】
次に動作について説明する。通常の直流ファンモータの回転開始時と回転停止時の動作は前記実施の形態３と同一のため省略する。
【００５０】
図５はこの発明の実施の形態５による直流ファンモータ制御装置の制御動作を示すタイムチャートである。ユーザからの運転指令により、直流ファンモータ制御回路用電源供給リレー１７ｂや直流ファンモータ制御回路用電源供給リレー駆動回路１７ａがＯＮしているときに、連続的にユーザからリモコン等により運転／停止指令が入力され、この前記各リレーの動作音が耳障りにならないよう、直流ファンモータ制御回路用電源供給リレー駆動信号Ｂの一定時間Ｔｃとリレー駆動回路駆動信号Ｃの一定時間Ｔｄは直流ファンモータ制御回路用電源供給リレー１７ｂと直流ファンモータ駆動用直流電源供給リレー７ａをＯＦＦさせないようにする。その後の動作は通常の動作と同様である。
【００５１】
この発明の実施の形態５における直流ファンモータの制御装置は、直流ファンモータ制御回路用電源供給用リレー及び直流モータ駆動用直流電源供給用リレーをＯＮ後一定時間ＯＦＦさせないことにより、連続してリレーをＯＮ／ＯＦＦされることによるリレーの動作音の発生を防ぐことができ、リレー動作音が耳障りになることを防止することができる。
【００５２】
実施の形態６．
以下、この発明の実施の形態６を図について説明する。制御ブロック図は前記図２と全て同一のため、説明は省略する。
【００５３】
次に動作について説明する。図６はこの発明の実施の形態６による直流ファンモータの制御装置のタイムチャートである。図において、直流ファンモータ回転開始時に直流ファンモータ制御回路用電源供給リレー１７ｂをＯＮするため制御回路用電源供給リレー１７ｂ駆動信号ＢをＨレベルにした後に、直流ファンモータ制御回路用電源供給リレー１７ｂのコイルに電流が流れ、リレーの感動時間やバウンス時間を考慮して確実に直流ファンモータ制御回路用電源供給リレー１７ｂの接点がＯＮするまでの一定時間Ｔｅ経過後に、リレー駆動回路７ａをＯＮするためのリレー駆動回路７ａ駆動信号ＣをＨレベルにする。その他の動作に関しては、前記実施の形態３と同一のため省略する。
【００５４】
この発明の実施の形態６における直流ファンモータの制御装置は、直流ファンモータ制御回路用電源供給用リレーがＯＮしてから、直流ファンモータ駆動用直流電源供給用リレーを一定時間ＴｅＯＮさせないことにより、制御回路用電源供給用リレーの感動時間やバウンス時間中のリレー動作が不確実なことによる制御回路への電源供給が安定していない時に、スイッチング回路へ電源が供給されることによる、直流ファンモータやスイッチング回路の異常動作や故障を防止することができる。
【００５５】
実施の形態７．
以下、この発明の実施の形態７における図について説明する。制御ブロック図は前記図２と全て同一のため、説明は省略する。
【００５６】
次に動作について説明する。図７はこの発明の実施の形態７における直流ファンモータ制御装置のタイムチャートである。図において、直流ファンモータ回転停止時にリレー駆動回路７ａをＯＦＦするためリレー駆動回路７ａ駆動信号ＣをＬレベルにした後に、直流ファンモータ駆動用直流電源供給リレー７ｂの接点復帰時間を考慮して、確実に直流ファンモータ駆動用直流電源供給リレー７ｂの接点がＯＦＦするまでの一定時間Ｔｆ経過後に、直流ファンモータ駆動用直流電源供給リレー７ｂをＯＦＦするために駆動用直流電源供給リレー７ｂ駆動信号ＢをＬレベルにする。その他の動作に関しては、前記実施の形態３と同一のため説明を省略する。
【００５７】
この発明の実施の形態７における直流ファンモータの制御装置は、直流ファンモータ駆動用直流電源供給用リレーがＯＦＦ後、直流ファンモータ制御回路用電源供給用リレーを一定時間ＯＦＦさせないことにより、駆動用直流電源供給用リレーの復帰時間中のリレー動作が不確実な時に、制御回路への電源供給が停止することがなく、直流ファンモータやスイッチング回路の異常動作や故障を防止することができる。
【００５８】
実施の形態８．
以下、この発明の実施の形態８を図について説明する。制御ブロック図は前記図２と全て同一のため、説明は省略する。
【００５９】
次に動作について説明する。図８はこの発明の実施の形態８による直流ファンモータ制御装置のタイムチャートである。図において、直流ファンモータ回転停止時に回転数信号Ｄがゼロ回転の停止状態となった後も、直流ファンモータ制御回路５の逆起電流が減少するまでの一定時間Ｔｇ経過後に、リレー駆動回路７ａをＯＦＦするためにリレー駆動回路７ａ駆動信号ＣをＬレベルにする。その他の動作に関しては、前記実施の形態３と同一のため説明を省略する。
【００６０】
また、この発明の実施の形態８における直流ファンモータの制御装置は、直流ファンモータの回転数指令がゼロ回転である停止状態となった後も、直流ファンモータ駆動用直流電源供給用リレーを一定時間ＴｇＯＦＦさせないことにより、直流ファンモータで発生する逆起電力を逃がすことができ、高電圧発生を防ぎ、スイッチング回路での高電圧による故障を防止することができる。
【００６１】
実施の形態９．
以下、この発明の実施の形態９を図について説明する。図９は直流ファンモータ制御装置に係わる制御ブロック図である。図において、１は制御用電源回路で、１００Ｖ又は２００Ｖの交流電源である交流商用電源１ａ、ブリッジダイオードである第１整流回路１ｂ、この整流回路で整流され電解コンデンサである第１平滑回路１ｃと、ＤＣ−ＤＣコンバータ２とから成っている。このＤＣ−ＤＣコンバータは、入力を前記第１平滑回路１ｃから受け、一方の出力をダイオードである第２整流回路２ｂを介して電解コンデンサである第２平滑回路２ｃに接続されており、直流１２Ｖ程度の電圧に安定化されベーンモータ３や表示装置４などの各種アクチュエータ動作用電源として供給される。他方の出力は、ダイオードである第３整流回路２ｄを介して電解コンデンサである第３平滑回路２ｅに接続されている。
【００６２】
５は直流ファンモータ制御回路で、モータ巻線６と、このモータ巻線に流す電流を直流ファンモータ駆動用直流電源供給リレー７ｂと抵抗入りＮＰＮトランジスタで構成されるドライバＩＣであるリレー駆動回路７ａから成る駆動用直流電源供給手段７を介してスイッチングするスイッチング回路８と、このスイッチング回路を制御する制御回路９及び、直流ファンモータの回転数を検出するホールＩＣ１０より構成されている。前記直流ファンモータ制御回路５には、前記第１平滑回路１ｃから直流ファンモータ駆動用１４０Ｖ又は２８０Ｖの直流電圧を入力とし、さらに、前記ＤＣ−ＤＣコンバータ２出力を第２整流回路２ｂを介して第２平滑回路２ｃと接続されている。１１は１５Ｖの３端子レギュレータである第１定電圧回路、１２は電解コンデンサである第４平滑回路である。
【００６３】
１３はマイコンで、安定した直流５Ｖ電圧となりマイコン１３に動作用電源として供給されるよう前記第２平滑回路２ｃの出力を５Ｖの３端子レギュレータである第２定電圧回路１４を介して電解コンデンサである第５平滑回路１５へ接続して入力としており、出力は、前記ファンモータの駆動用直流電源供給手段７に接続され、もう一方の出力は、前記直流ファンモータ制御回路５の制御回路９に接続している。また、前記直流ファンモータ制御回路５により制御される直流ファンモータの回転数は、ホールＩＣ１０により検出されており、その信号はマイコン１３の入力ポートに入力され、マイコン１３により回転数指令と実回転数を比較することにより任意の回転数となるように制御される。また、ユーザからの運転指令は、リモコン（図示されていない）により送信され、リモコン受光器１６により受信し、マイコン１３に入力される。
【００６４】
１７は制御回路用直流電源供給手段で、直流ファンモータ制御回路用直流電源供給リレー１７ｂと抵抗入りＮＰＮトランジスタで構成されるドライバＩＣであるリレー駆動回路１７ａから成り、前記直流ファンモータ制御回路５と、前記制御用電源回路１との間に配置され、前記制御用電源回路１の前記ＤＣ−ＤＣコンバータ２出力をダイオードである第２整流回路２ｂおよび第３整流回路２ｄを介して電解コンデンサである第２平滑回路２ｃおよび第３平滑回路２ｅと接続され、その第２平滑回路２ｃおよび第３平滑回路２ｅの出力は制御回路用直流電源供給手段１７の直流ファンモータ制御回路用電源供給用リレー１７ｂの入力端子へ接続されている。さらにもう一方の入力は、前記マイコン１３から前記制御回路用直流電源供給手段１７のリレー駆動回路１７ａに接続されている。１８は交流商用電源周波数検出回路で、一方を前記交流商用電源に接続しもう一方をマイコン１３に１からの信号を接続している。
【００６５】
次に、この実施の形態９の動作について説明する。通常の直流ファンモータ制御回路の回転開始時と回転停止時の動作は前記実施の形態３と同一のため省略する。
【００６６】
図１０はこの発明の実施の形態９による直流ファンモータ制御装置のタイムチャートである。図において、制御用電源回路１の交流商用電源１ａの停電等により交流商用電源周波数検出回路１８からマイコン１３へ交流商用電源周波数検出信号Ｅが出力されなくなると、直流ファンモータ制御回路５回転数信号Ｄをゼロ回転である停止状態とする。その後、ＤＣ−ＤＣコンバータ２は停止し、電源供給も停止する。したがって、直流ファンモータ制御回路用電源供給リレー１７ｂ及び直流ファンモータ駆動用直流電源供給リレー７ｂは第２平滑回路２ｃの放電に伴いコイルへ流れる電流は減少し続けてＯＦＦする。
【００６７】
この発明の実施の形態９における直流ファンモータの制御装置は、交流商用電源周波数検出手段からの信号が受信できなくなることにより、交流商用電源が停止したことがわかり、電源電圧低下により直流ファンモータ制御回路用電源供給用リレー及び直流ファンモータ駆動用直流電源供給用リレーのコイル電流が減少することによりリレーがＯＦＦする前に、回転数指令をゼロ回転である停止状態とすることができ、直流ファンモータの回転時にリレーが切れることを防ぎ、直流ファンモータやスイッチング回路の異常動作や故障を防止することができる。
【００６８】
実施の形態１０．
以下、この発明の実施の形態１０を図について説明する。図１１は直流ファンモータ制御装置に係わる制御ブロック図である。図において、実施の形態１０は前記図２と同一でありブロック図の説明は省略する。マイコン１３とリレー駆動回路１７ａ間と第２平滑回路２ｃとにプルアップ抵抗１９が接続されており、さらに第２平滑回路２ｃとマイコン１３間にリセットＩＣであるリセット回路２０が接続されている。
【００６９】
次に動作について説明する。通常の直流ファンモータの回転開始時と回転停止時の動作は前記実施の形態３と同一のため説明は省略する。
【００７０】
この実施の形態１０における直流ファンモータ制御装置は、制御用電源回路１の交流商用電源１ａが停電等によりＤＣ−ＤＣコンバータ２への電源供給を停止すると、その先に接続されている第２平滑回路２ｃの電圧は低下し、リセット電圧以下となるとリセット回路２０はリセット信号をマイコン１３へ出力する。したがって、マイコン１３はリセットし、各出力ポートの出力は初期状態となり、リレー駆動回路１７ａ及びリレー駆動回路７ａへの出力も初期状態のＬレベルとなる。したがって、リレー駆動回路７ａは、ＯＦＦし直流ファンモータ駆動用直流電源供給リレー７ｂはＯＦＦすることになる。一方、リレー駆動回路１７ａの入力端子は、プルアップ抵抗１９を介して第２平滑回路２ｃと接続されているため、ある時間はリレー駆動回路１７ａはＯＮし続けるため、直流ファンモータ制御回路用電源供給リレー１７ｂがＯＦＦするのは、直流ファンモータ駆動用直流電源供給リレー７ｂがＯＦＦするのよりも後になる。
【００７１】
また、この実施の形態１０では、プルアップ抵抗１９を使用しているが、例えばリレー駆動回路１７ａとマイコン１３の出力ポート間の回路上とＧＮＤ間に電解コンデンサを接続することによっても同様の効果が得られる。
【００７２】
この発明の実施の形態１０における直流ファンモータの制御装置は、交流商用電源停止等によりマイコン１３がリセットしたときに、直流ファンモータ制御回路用電源供給用リレーが直流ファンモータ駆動用直流電源供給用リレーより先にＯＦＦしない手段を設けることにより、直流ファンモータ駆動用直流電源供給用リレーがＯＮ中に制御回路への電源回路供給が停止することがなく、直流ファンモータやスイッチング回路の異常動作や故障を防止することができる。
【００７３】
【発明の効果】
以上に説明したように、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ制御回路用電源供給リレー及び直流ファンモータ駆動用直流電源供給リレーをＯＮした後は、前記電流ファンモータ制御回路用電源供給リレー又は直流ファンモータ駆動用直流電源供給リレーを連続的にＯＮ／ＯＦＦさせることにより、前記各リレーの動作音が耳障りにならないように一度前記直流ファンモータ制御回路用電源供給リレー又は直流ファンモータ駆動用直流電源供給リレーをＯＮした後は、前記リレーを一定時間ＯＦＦさせない構成としたから、リレーの動作音が耳障り音となることを防止する効果を有する。
【００７７】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ制御用電源供給リレーをＯＮした後、前記リレーの感動時間・バウンス時間を考慮し、前記直流ファンモータ駆動用直流電源供給リレーを一定時間ＯＮしない構成としたから、直流ファンモータやスイッチング回路の異常動作又は故障を防止することができる効果を有する。
【００７８】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータ駆動用電源供給リレーをＯＦＦした後、前記直流ファンモータ駆動用電源供給リレーの復帰時間を考慮し、前記直流ファンモータ制御回路用電源供給リレーを一定時間ＯＦＦしない構成ものである。
【００７９】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、これらの直流ファンモータ制御回路用電源と直流ファンモータ駆動用直流電源の供給を遮断する手段として直流ファンモータ制御回路用電源供給リレー及び直流ファンモータ駆動用直流電源供給リレーを使用し、前記直流ファンモータの回転数指令がゼロ回転である停止状態となった後も、前記直流ファンモータが慣性で回転することにより発生する逆起電流を逃がすために、前記直流ファンモータ駆動用電源供給リレーは一定時間ＯＦＦさせない構成としたから、高電圧の発生を防止し、スイッチング回路での高電圧による不具合を解消できる効果を有する。
【００８０】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、交流商用電源の周波数を検出し、この検出信号をマイコンに入力し、かつこの検出信号が前記マイコンに入力されなくなると、前記マイコンからの回転数指令をゼロ回転とする交流商用電源周波数検出回路を、交流商用電源と直流ファンモータの回転数指令を出力するマイコンとの間に設けた構成としたから、直流ファンモータやスイッチング回路の異常動作又は故障等の不具合を解消できる効果を有する。
【００８１】
また、この発明による直流ファンモータの制御装置は、直流ファンモータ駆動用直流電源供給を遮断する直流ファンモータ駆動用直流電源供給手段を設けた構成としたから、直流ファンモータ制御回路と制御回路用電源の定電圧回路及び直流ファンモータのスイッチング回路における電力消費を防止できる効果を有する。
【００８２】
また、この発明による直流ファンモータの制御装置は、モータ巻線に供給されるファンモータ駆動用直流電圧をスイッチングすることにより任意の回転数で回転できる直流ファンモータと、前記直流ファンモータの駆動用直流電圧をスイッチングするスイッチング回路と、前記スイッチング回路を制御するための制御回路と前記制御回路を作動させるための制御用電源回路と、前記制御用電源回路内の電圧を平滑するための平滑回路と前記平滑回路の出力電圧を安定した定電圧とする定電圧回路において、前記直流ファンモータ制御回路への制御用電源供給を遮断する直流ファンモータ制御回路用電源供給手段を前記平滑回路と前記定電圧回路の間に設けると共に、前記直流ファンモータ駆動用直流電源供給を遮断する直流ファンモータ駆動用直流電源供給手段を設け、交流商用電源が停止したときに前記直流ファンモータ制御電源供給を遮断する直流ファンモータ制御用電源供給手段が前記直流ファンモータ駆動用直流電源供給を遮断する直流ファンモータ駆動用直流電源供給手段よりも先に遮断されることのないように構成したから、直流ファンモータ駆動用直流電源供給リレーが動作中に制御回路への電源供給を動作させることなく、直流ファンモータやスイッチチング回路の異常動作又は故障等の不具合を解消できる効果を有する。
【図面の簡単な説明】
【図１】  この発明の実施の形態１による直流モータ制御装置の制御ブロック図である。
【図２】  この発明の実施の形態２による直流モータ制御装置の制御ブロック図である
【図３】  この発明の実施の形態３による直流モータ制御装置のタイムチャートである。
【図４】  この発明の実施の形態４による直流モータ制御装置のタイムチャートである
【図５】  この発明の実施の形態５による直流モータ制御装置のタイムチャートである
【図６】  この発明の実施の形態６による直流モータ制御装置のタイムチャートである
【図７】  この発明の実施の形態７による直流モータ制御装置のタイムチャートである
【図８】  この発明の実施の形態８による直流モータ制御装置のタイムチャートである
【図９】  この発明の実施の形態９による直流モータ制御装置の制御ブロック図である。
【図１０】  この発明の実施の形態９による直流モータ制御装置のタイムチャートである。
【図１１】  この発明の実施の形態１０による直流モータ制御装置の制御ブロック図である。
【図１２】  従来の直流モータ制御装置の制御ブロック図である。
【符号の説明】
１  制御用電源回路、１ｃ  第１平滑回路、２  ＤＣ−ＤＣコンバータ、２ｃ第２平滑回路、２ｅ  第３平滑回路、５  直流ファンモータ制御回路、６  モータ巻線、７  直流ファンモータ駆動用直流電源供給手段、８  スイッチング回路、９  制御回路、１０  ホールＩＣ、１１  第１定電圧回路、１２  第４平滑回路、１３  マイコン、１４  第２定電圧回路、１５  第５平滑回路、整流回路、１７  直流ファンモータ制御回路用電源供給手段、１８  交流商用電源周波数検出回路、１９  プルアップ抵抗、２０  リセット回路。
【図１】
0004168517.tif 000002
【図２】
0004168517.tif 000003
【図３】
0004168517.tif 000004
【図４】
0004168517.tif 000005
【図５】
0004168517.tif 000006
【図６】
0004168517.tif 000007
【図７】
0004168517.tif 000008
【図８】
0004168517.tif 000009
【図９】
0004168517.tif 000010
【図１０】
0004168517.tif 000011
【図１１】
0004168517.tif 000012
【図１２】
0004168517.tif 000013